(57)【要約】  本発明は、少なくとも１つの知覚されることができる装置Ｇ１（２）と、音響出力を有する少なくとも１つの知覚することができる装置Ｇ２（３）とを有する分散型電子システムに関する。ユーザによって探される種類の装置が、より容易に知覚されることができるようにするために、Ｇ１（２）及びＧ２（３）は、前記ユーザが、どの種類の装置が自身の周辺領域内に位置されているかを、可聴信号によっていつでも知るような仕方で、自動的な相互通信によって互いに協動する。一実施例において、Ｇ２は、ブルートゥースのサービスの発見処理における比較のために、所望の装置の種類を記憶する知覚プロファイルを有している。Ｇ２は、ヘッドホン又は補聴器の一部であることができ、音声系列は、アドホックインターフェースを介して、Ｇ２に接続されているアプリケーションによって編集されることができる。
2007521733.tif 000002
【特許請求の範囲】
【請求項１】
アドホックベースでネットワーク化されることができる分散型電子システムであって、少なくとも１つの知覚されることができる装置と、少なくとも１つの知覚することができる装置とを有する分散型電子システムにおいて、前記知覚されることができる装置が該知覚することができる装置の知覚領域内に進入した場合であって、前記知覚されることができる装置が代表的である種類が、前記知覚することができる装置の知覚プロファイル内にある場合、直ちに、前記知覚することができる装置は、前記知覚されることができる装置に関する音響検出信号を発する分散型電子システム。
【請求項２】
伝送範囲内で、複数の前記知覚されることができる装置が、前記知覚することができる装置と、送信／受信インターフェースを介して自動的に通信する、請求項１に記載の分散型電子システム。
【請求項３】
装置は、知覚されることができると共に、同時に知覚することができる、請求項２に記載の分散型電子システム。
【請求項４】
知覚する前記装置は、ワイヤレスヘッドホン又はワイヤレス補聴器の一部である、請求項２又は３に記載の分散型電子システム。
【請求項５】
知覚する前記装置は、これによって前記知覚プロファイル及び／又は音声系列が編集されることができるコンピュータアプリケーションに、アドホック通信インターフェースを介して接続されることができる、請求項２又は３に記載の分散型電子システム。
【請求項６】
知覚する前記装置は、知覚されることができる装置に対するリモートコントロール機能を有しており、該リモートコントロール機能は、スタート、ストップ、リピート及びネクストに関するものであるのが好ましく、該リモートコントロール機能は、アドホックワイヤレスインターフェースを介して知覚される前記装置において呼び出されることもできる、請求項１ないし５の何れか一項に記載の分散型電子システム。
【請求項７】
ヘッドホンの一部であって、知覚する前記装置は、知覚される前記装置から送信される音声データを受け取る及び再生することもできる、請求項１ないし６の何れか一項に記載の分散型電子システム。
【請求項８】
知覚する前記装置は、前記知覚に必要な種類の定義が更新されることを可能にするロード機能を備えている、請求項１ないし７の何れか一項に記載の分散型電子システム。
【請求項９】
受信装置と、知覚プロファイルを備える制御装置と、音響信号を供給する信号を送る装置とを備える機器であって、前記制御装置は、前記知覚プロファイル内にある装置の種類を前記受信装置が認識した際に、音響信号の発生を開始するように設計されている機器。
【発明の詳細な説明】
【技術分野】
【０００１】
本発明は、ワイヤレスネットワーク（ワイヤレスＬＡＮ、ＷＡＮ）上の装置が可聴的に知覚されることを可能にする分散型電子システムに関する。
【背景技術】
【０００２】
空間的に限定された領域内のワイヤレスネットワーク（所謂ローカルエリアネットワーク、即ちＬＡＮ）は、膨大な様々な異なる分野において使用されている。１つのアプリケーションは、例えば、コンピュータＬＡＮであって、該コンピュータＬＡＮ上で、複数のコンピュータと、複数の周辺装置（例えば、プリンタ、スキャナ及びプロジェクタ等）とが結合される。この種のＬＡＮは、例えば、企業において広く使用されている。これらは、一般に、複数のアクセスポイント（ＡＰ）を有しており、ユーザは、該アクセスポイントを介してＷＬＡＮ互換装置を当該ネットワーク内に接続することができ、従って、例えば、企業のメインフレームコンピュータを使用することができる。これに加えて、プリンタ、スキャナ及びＯＨＰプロジェクタ等のような一般的に利用可能な周辺装置は、該周辺装置も前記ネットワーク内に接続し、従って該周辺装置が様々なユーザによってアドレス指定されることができるようにすることにより、使用可能にされている。これにより、例えば、前記周辺装置が、会議室内の固定された場所に取り付けられることが可能になり、この場合、講演者は、単に自分のラップトップ型コンピュータを前記ネットワークに接続し、該ラップトップ型コンピュータに、前記周辺装置との通信を開始させるのみで良い。
【０００３】
ワイヤレス通信の技術は、装置のアドホックネットワークに関しても知られている。ワイヤレス接続（例えばブルートゥース規格下）は、通信の準備ができている全ての装置が、該装置が関連する無線支配範囲（ｒａｄｉｏ−ｄｉｃｔａｔｅｄ  ｒａｎｇｅ）内にある場合、アドホックベースでコンタクトをとることを可能にする。前記装置が通信する場合、ネットワーク及び装置のアドレスが伝送されるが、これらは、ユーザに、ユーザが探している所与の種類の装置が、ユーザの付近に位置されているかどうかを知らせない。
【０００４】
この場合、無線範囲内に位置されている複数の装置のうち、適切なものが選択されなければならないという問題が生じる。例えば、ラップトップ型コンピュータを有するユーザが、自身が不慣れである建物内でプリンタを探している場合、ユーザにとって関心のあることは、自分が現在位置されている地点から最短距離にあるプリンタを発見することであり、他の装置には関心がない。
【０００５】
ユニバーサル  プラグ＆プレイ（ＵｐｎＰ）のような、今日の発見法の枠組みにより、ネットワークを越えて到達可能である又はネットワーク上で利用可能である装置及びサービスが発見されることが可能になっている。しかしながら、この従来技術によって、装置及びサービスの発見を、望まれている装置及びサービスに限定することはできない。
【０００６】
アドホックモードにおいて、ＩＥＥＥ規格８０２．１１に従って動作するローカルエリアネットワークでさえ、装置をアドホックネットワーク内に一緒に直接接続することをサポートしている。しかしながら、これらの状況下でさえ、ユーザは、探している所与の種類の装置が、自身の周辺の領域内に位置されているかどうかが分からない。
【０００７】
家庭用娯楽電子機器及び通信電子機器において、並びにパーソナルコンピュータの分野において使用されている多くの移動型及び固定型装置は、今日、これらをデジテル・アドホック通信ネットワーク内に接続することを可能にするワイヤレス・アドホック接続をするための技術を備えている。
【０００８】
公開特許公報第９８１１７６号から、メッセージ（例えば、受信された新しい電子メール）が、人が入室した途端に音響的にアナウンスされることが知られている。この種の技術の利点は、所与の方向を見る必要がなく、又はメッセージが受信されているかどうかを問い合わせる必要がなく、ユーザに知らされることである。
【０００９】
米国特許第６，５４９，１４２号公報は、人の入室が検出され、このイベントとの連携として、これ以前のイベント（例えば、電子メールの受信）の発生が検索され、次いで、該イベントの発生が音響的にアナウンスされる方法を開示している。
【発明の開示】
【発明が解決しようとする課題】
【００１０】
上記両方の文献の教えは、トリガ・イベント（人の入室）が発生すると直ちに、これ以前のイベントを音響的に知覚可能にするものである。ネットワーク及びネットワーク構成要素の知覚に関する通信は、上述の文献の何れにも記載されていない。
【００１１】
ユーザの周辺領域内で対話することができる過多の装置がどこに存在するのか、本発明の目的は、ユーザが興味を持っている装置が、アドホック通信によって、受信端末において音響的に知覚されるのを可能にする。
【課題を解決するための手段】
【００１２】
この目的は、発見されるべき装置（以下、知覚されることができる装置とも称する）が、検索している装置（以下、知覚することができる装置とも称する）によって検出されることができる信号を発すると直ちに、前記発見されるべき装置が代表的である種類の装置であって、当該装置からの前記信号から発見される種類の装置が、検索装置の知覚プロファイル内に有る場合、前記検索している装置は、音響信号を発する。
【００１３】
本発明は、少なくとも１つの知覚されることができる装置Ｇ１と少なくとも１つの知覚することができる装置Ｇ２とを有する、アドホックベースでネットワーク化されることができる分散化型電子システムであって、Ｇ２は、Ｇ１が代表的である種類が、Ｇ２の知覚プロファイル内に有る場合、Ｇ１がＧ２の知覚区域内に侵入すると直ちにＧ１に関する音響的検出信号を発する、分散化型電子システムに関する。
【００１４】
少なくとも１つの知覚されることができる装置Ｇ１と、少なくとも１つの知覚することができる装置Ｇ２とを有する本発明による分散型システムは、知覚することができる装置Ｇ２の無線範囲内に装置Ｇ１が存在し、かつ、ユーザの知覚プロファイルが当該装置の知覚を「許可」している場合、装置Ｇ１が音響的に知覚可能なアドホック通信をすることを可能にする。
【００１５】
最も単純な場合、前記知覚されることができる装置は、総称名（ｇｅｎｅｒｉｃ  ｎａｍｅ）、即ち集合（Ｇ１、Ｇ２、Ｇ３、・・・、Ｇｎ）によって表される。ユーザの知覚プロファイルも、装置の総称名の集合（Ｗ１、Ｗ２、Ｗ３、・・・、Ｗｍ）によって表され、該総称名によって、ユーザが知覚したい装置を示す。各個々の知覚必要条件Ｗｉ（１≦ｉ≦ｍ）と関連して、種類Ｗｉの装置が知覚された場合、即ちユーザが、知覚されることができる装置Ｇｊ（１≦ｊ≦ｎ、ここでＧｊはＷｉに等しいはずである、即ち知覚される装置の種類は前記知覚プロファイルの一部である）に近づいている場合、音響知覚信号Ｓｉが鳴る。前記のような可聴信号は、例えば、発話される一般名称（「プリンタ」等）であっても良く、又は、ユーザにとって、装置の種類に関して特徴的な他の音でもあっても良い。
【００１６】
知覚されることができる装置とユーザの知覚プロファイルとの間に整合が無い場合、知覚は生じず、即ち、関連する効果に対する信号は、鳴らない。従って、音響的に信号を伝えられる装置とは、知覚されることができ、かつ、前記知覚プロファイル内に存在している装置であり、即ち、当該システムは、適切でない装置をフィルタにかけて取り除く。
【００１７】
前記知覚は、適切な知覚プロファイルを有するユーザが無線範囲内に入ると直ちに、自動的に生じるのが好ましい。この目的のため、本発明による分散型システムは、送信／受信インターフェースを備えているのが好ましい。本発明による好適な分散型電子システムにおいて、知覚されることができる複数の装置は、送信／受信インターフェースを介して、伝送範囲内の、知覚することができる装置と自動的に通信することができる。
【００１８】
本発明による分散型電子システムの他の好適実施例において、装置は、知覚されることができる装置であると同時に、知覚することができる装置であっても良い。
【００１９】
知覚装置（知覚をすることができる装置）は、有利には、当該ユーザのみが、所与の装置の知覚に関する前記音響信号を聞くように配されることもできる。前記知覚装置がワイヤレスヘッドホン又はワイヤレス補聴器の一部である種類の本発明による分散型電子システムは、本発明に基づいて好まれる。
【００２０】
本発明による分散型電子システムの他の好適実施例において、前記知覚装置は、前記知覚プロファイル及び／又は音声系列が編集されることができるコンピュータアプリケーションに、アドホック通信インターフェースを介して、接続されることができる。
【００２１】
このようにして、ユーザは、特定の状況によって支配される（ｄｉｃｔａｔｅｄ）、プリンタのみ又はプロジェクタのみを検索することができ、音響信号によって圧倒されることはない。このようにして、前記音響信号が、ユーザの願いに対して個々に調整されることも可能である。
【００２２】
本発明による分散型電子システムの他の好適実施例において、前記知覚装置は、知覚されることができる装置に対するリモートコントロール機能を有し、該リモートコントロール機能は、スタート、ストップ、リピート及びネクストに関するものであるのが好ましく、これらの機能はアドホックワイヤレスインターフェースを介して、知覚される装置において呼び出されることもできる。
【００２３】
この結果として、前記ユーザは、先ず前記知覚される装置へのコマンド接続を苦労して行う必要なく、直接的に、前記知覚される装置にアクセスし、該知覚装置を制御することができる。
【００２４】
他の好適実施例において、前記知覚装置は、前記知覚される装置からデータを受け取ることもでき、該データを変換することもできる。このようにして、音声ファイルが、例えば、受け取られる及び再生されることができる。本発明による好適分散型電子システムは、ヘッドホンの一部である前記知覚装置が、前記知覚される装置から送信される音声データを受け取る及び再生することもできることを特徴とする。
【００２５】
これを介して前記知覚機能及び知覚信号が変化されることができる通信インターフェースと類似する機能として、本発明によるシステムは、新しい種類の装置等に関する更新を可能にするロード機能を有していても良い。この場合、好まれる本発明による分散型電子システムとは、前記知覚装置が前記知覚に必要とされる種類の定義が更新されることを可能にするロード機能を備えている本発明による分散型電子システムである。
【発明を実施するための最良の形態】
【００２６】
本発明のこれら及び他の見地は、図１及び２を参照して明らかになり、説明されるであろう。
【００２７】
図１は、知覚されることができる装置（２）であって、該装置の一般名称（種類２）が、送信／受信インターフェース（１）を介して、知覚することができる装置（３）に伝送される装置（２）を示している。知覚することができる装置（３）は、知覚されることができる装置（２）の前記一般名称が記憶されている知覚プロファイル（４）を有する。知覚される装置（２）の種類は、知覚することができる装置（３）の知覚プロファイル（４）の一部であるので、関連する音声系列２が音響的に再生される。
【００２８】
図２は、知覚することができる装置（３）による、知覚されることができる装置（２）の検出に関するフローチャートを示している。知覚することができる装置（３）は、項目Ｗ１、Ｗ２、Ｗ３及びＷ４を有する知覚プロファイル（４）を有する。自身の送信／受信インターフェース（１）を介して、知覚されることができる装置（２）は、知覚することができる装置（３）に自身の一般名称を送信する。知覚することができる装置（３）は、前記一般名称Ｇ１が、自身の知覚プロファイル（４）の一部であるかどうかをチェックする。知覚される装置（２）の種類が知覚プロファイル（４）の一部である場合、前記関連する信号Ｓ１が鳴り、そうでない場合、信号は、音響的に再生されない。
【図面の簡単な説明】
【００２９】
【図１】知覚されることができる装置（２）であって、該装置の一般名称（種類２）が、送信／受信インターフェース（１）を介して、知覚することができる装置（３）に伝送される装置（２）を示している。
【図２】知覚することができる装置（３）による、知覚されることができる装置（２）の検出に関するフローチャートを示している。
【図１】
2007521733.tif 000003
【図２】
2007521733.tif 000004
【国際調査報告】
2007521733.tif 000005
2007521733.tif 000006
2007521733.tif 000007
2007521733.tif 000008